(57)【要約】  家畜屠体の骨付き腿肉の自動脱骨装置において、ワークｗを吊下搬送するクランプ装置１２を、サーボモータ１０４と、サーボモータ１０４の出力軸に連結されたネジ軸１０６と、ネジ軸１０６に螺合された昇降ブロック１０８とで構成し、ワークｗの下降及び次処理ステーションへの搬送を、昇降軸７０に装着された昇降ローラ９２を走行路９４に走行させることにより行なう。また、昇降軸７０に設けられた揺動ローラ８４をカム板１７０１８０，１８２に接触させ、昇降軸７０を所定角度自転させ、丸刃カッタ２２、６４に対面させることにより、該丸刃カッタの移動経路を略直線状にでき、移動機構を簡素化かつ低コスト化できる。
2013507101.tif 000002
【特許請求の範囲】
【請求項１】
脱骨装置により骨付き腿肉を脱骨する脱骨方法であって、
骨付き腿肉を足首を介してクランプ装置で吊下する工程、
複数の処理ステーション間を断続搬送する工程、
各処理ステーションで、切断刃を骨に沿わせて腿肉を長手方向に切断する筋入ステップ、又はミートセパレータを用いて肉部を上方から押え、切断刃で腱を切断しながら骨付き腿肉を相対的に上方に引き上げて肉部を引き剥す肉分離ステップを行なう工程とを有し、
前記脱骨装置が、送り機構によって処理ステーション間を断続搬送され、下端に前記クランプ装置が装着されクランプ装置の上方に昇降ローラが装着された昇降軸と、処理ステーションに設けられ、駆動モータと、該駆動モータの出力軸に連結されたネジ軸と、該ネジ軸に螺合した昇降台とからなる上昇装置と、処理ステーション間に架設されクランプ装置の移動方向に向かって下降する走行路とを備え、
処理ステーションで前記昇降ローラを前記昇降台上に載置し、該昇降台を上昇させ骨付き腿肉を上昇させて前記筋入れ工程又は肉分離工程を行い、
骨付き腿肉の自重により昇降ローラを前記走行路に沿って走行させ、前記クランプ装置を下降させながら次の処理ステーションに搬送するようにしたことを特徴とする骨付き腿肉の脱骨方法。
【請求項２】
切断刃が配設された処理ステーションにおいて、前記昇降軸が軸中心に自転可能に構成され、該昇降軸を設定角度だけ自転させる自転機構を脱骨装置がさらに有し、
該自転機構により昇降軸を自転させ、骨付き腿肉の切断部位を前記切断刃に対して対面させると共に、
切断刃を直線状の移動経路に沿って該切断部位に接近させ、骨付き腿肉の切断部位を切断するようにしたことを特徴とする請求項１に記載の骨付き腿肉の脱骨方法。
【請求項３】
前記切断刃が水平方向に配置された丸刃からなる腱切断刃であり、該腱切断刃で骨に付着した腱を切断するようにしたことを特徴とする請求項２に記載の骨付き腿肉の脱骨方法。
【請求項４】
前記処理ステーションの少なくともひとつが筋入れを行なう処理ステーションであり、
該筋入れ工程が、切断刃を骨の内側面に沿わせながら切断刃に対して骨付き腿肉を相対的に上昇させ、足首付近から膝関節上部まで筋入れを行なう下腿筋入れステップと、切断刃が膝関節に接近した時前記自転機構で昇降軸を一時的に自転させ、切断刃を骨内側面から膝関節の腱付着部に回り込ませて腱を切断した後、クランプ装置を逆回転させて切断刃を骨の内側面に戻す膝関節筋入れステップと、切断刃を骨の内側面に沿わせながら切断刃に対して骨付き腿肉を相対的に上昇させ、膝関節下部から大腿端部まで筋入れを行なう大腿筋入れステップと、からなることを特徴とする請求項２に記載の骨付き腿肉の脱骨方法。
【請求項５】
前記筋入れ工程において、骨付き腿肉が上昇中に骨付き腿肉の下端部を検出し、この検出高さと該検出高さで骨付き腿肉の下端部を検出した時の骨付き腿肉の上昇ストロークとから骨付き腿肉の骨の全長を求め、
最終腿肉分離工程において、測定された骨付き腿肉の骨の全長に応じて、肉部を押えるミートセパレータに対するクランプ装置の上昇ストロークを決定するようにしたことを特徴とする請求項４に記載の骨付き腿肉の脱骨方法。
【請求項６】
切断刃を骨に沿わせて腿肉を長手方向に切断する筋入れ工程とミートセパレータを用いて肉部を上方から押え、切断刃で腱を切断しながら骨付き腿肉を相対的に上方に引き上げて肉部を引き剥す肉分離工程との少なくともひとつを行なう複数の処理ステーションと、
骨付き腿肉を足首を介して吊下搬送するクランプ装置と、
複数の処理ステーション間に該クランプ装置を断続歩進させる送り機構と、
下端に前記クランプ装置が装着されクランプ装置の上方に昇降ローラが装着された昇降軸と、
処理ステーションに設けられ、駆動モータと、該駆動モータの出力軸に連結されたネジ軸と、該ネジ軸に螺合した昇降台とからなる上昇装置と、
処理ステーション間に架設されクランプ装置の移動方向に向かって下降する走行路とを備える脱骨装置であって、
前記処理ステーションで前記昇降ローラを前記昇降台上に載置し、昇降台を上昇させ骨付き腿肉を上昇させて前記筋入れ工程又は肉分離工程を行い、
骨付き腿肉の自重により昇降ローラを前記走行路に通し、前記クランプ装置を下降させながら次の処理ステーションに搬送するように構成したことを特徴とする骨付き腿肉の脱骨装置。
【請求項７】
切断刃が配設された処理ステーションにおいて、前記昇降軸が軸中心に自転可能に構成され、昇降軸を設定角度だけ自転させる自転機構を備え、
該自転機構により昇降軸を自転させ、骨付き腿肉の切断部位を前記切断刃に対して対面させ、切断刃を直線状の移動経路に沿って該切断面に接近させ、切断部位を切断するように構成したことを特徴とする請求項６に記載の骨付き腿肉の脱骨装置。
【請求項８】
前記昇降軸は、前記送り機構に固設されたガイドバーと、該ガイドバーに沿って上下に摺動する摺動ブラケットと、該摺動ブラケットの内部に回動可能に配置され下端に前記クランプ装置が装着された回動軸と、からなり、
前記自転機構は、前記回動軸に取り付けられた揺動ローラと、処理ステーションに設けられ、クランプ装置が上昇して切断刃が膝関節に接近した時該揺動ローラを押して該回動軸を設定角度だけ自転させるカム部材と、クランプ装置がさらに上昇して該揺動ローラが該カム部材から離れた時に該揺動ローラを元の位置に復帰させるバネ部材と、からなることを特徴とする請求項７に記載の骨付き腿肉の脱骨装置。
【請求項９】
前記切断刃が水平方向に配置された丸刃からなる腱切断刃であり、該腱切断刃で骨に付着した腱を切断するようにしたことを特徴とする請求項７に記載の骨付き腿肉の脱骨装置。
【請求項１０】
前記処理ステーションの少なくともひとつが筋入れ工程を行なう筋入れステーションであり、該筋入れステーションにおいて、骨付き腿肉に向かって進退可能な切断刃と、該切断刃の進退方向に対面して配置された姿勢保持板と、該姿勢保持板に対して骨付き腿肉の平坦面を押し付け固定する押え部材と、を備え、前記自転機構が前記昇降軸を上昇途中で設定角度だけ自転させるものであり、
押え部材によって骨付き腿肉を姿勢保持板に押し付けた状態で切断刃を骨付き腿肉の足首付近に挿入させ、クランプ装置を上昇させて切断刃を骨の内側面に沿わせながら筋入れを行なうと共に、切断刃が膝関節に接近した時自転機構で昇降軸を一時的に自転させ、切断刃を骨内側面から膝関節の腱付着部に回り込ませて腱を切断するように構成したことを特徴とする請求項７に記載の骨付き腿肉の脱骨装置。
【請求項１１】
骨付き腿肉を投入する投入位置に隣接配置され中心軸を中心に断続回転する回転体と、該回転体の外周に等間隔に配置され骨付き腿肉の足首が懸垂される凹部とを有する複数の懸垂ブラケットと、
該懸垂ブラケットに懸垂された骨付き腿肉が投入位置に対面する位置に来た時、該骨付き腿肉を投入ステーションのクランプ装置に押し出して該クランプ装置に載架させるプッシャーと、を備えたことを特徴とする請求項６に記載の骨付き腿肉の脱骨装置。
【請求項１２】
前記ガイドバーを支持するベース部材に装着され、軸中心に回動可能に軸支されたブレーキシューと、
該ブレーキシューに対し前記回動軸を押圧する方向に弾性力を付勢するバネ部材と、
処理ステーション間のブレーキシューの移動経路に設けられ、該ブレーキシューを該バネ体の弾性力に抗して回動軸から離れた位置に保持するブレーキ解除レールと、を備えたことを特徴とする請求項８に記載の骨付き腿肉の脱骨装置。
【発明の詳細な説明】
【技術分野】
【０００１】
本発明は、食肉用家畜屠体の骨付き腿肉、例えば、食鶏屠体の骨付き腿肉の筋入れから骨肉分離までを自動化した脱骨方法及び装置に関する。
【背景技術】
【０００２】
最近、食用鳥獣の飼育、屠殺、及び屠体の解体処理は、需要の増大と共に大規模となり、各処理工程の自動化が進められている。
家畜屠体のうち食鶏屠体の解体処理は、屠殺から放血、脱羽、洗浄を行なう一次解体工程と、一次解体工程を経た屠体を冷却した後、各部位別に分割及び脱骨を行なうことにより、正肉や副産物を生産し、包装保管する二次解体工程とに大きく分けることができる。
【０００３】
一次解体工程では、屠殺から脱羽、洗浄まで自動化が行なわれ、その間はほとんど無人で処理されている。二次解体工程でも、屠体の上下半身分離から、腿肉や胸肉等の各部位の分割や、分割した各部位の脱骨の自動化が進んでいる。これによって、解体作業の省力化が図られ、人手による作業と同様に歩留まりが向上してきている。
【０００４】
特許文献１には、食鶏腿肉の脱骨装置による脱骨処理の前工程として必要な筋入れ工程を自動化した技術が開示されている。この技術は、多数の骨付き腿肉の足首をクランプ装置で吊下搬送し、筋入れステーションで一旦停止し、骨付き腿肉を固定した状態で筋入れを行なうものである。筋入れステーションでは、筋入れナイフによって形成される筋入れ切り下げ面に対して、骨付き腿肉の姿勢保持を正確に行なうことによって、筋入れナイフを骨表面に正確に沿わせることで、歩留まりを向上させている。
【０００５】
特許文献２には、食鶏等の食肉用屠体の骨付き腿肉を対象とし、自動化された腿肉分離手段が開示されている。この手段は、骨付き腿肉の足首をクランプ装置で吊下搬送し、複数の処理ステーションで停止する断続歩進運動を行う。特許文献２の図９に図示されているように、クランプ装置の搬送経路は、円形の搬送経路をなしている。この円形経路に沿って複数の処理ステーションを配置し、筋入れ工程や、骨に結合した腱を切断しながら腿肉分離を行なう腿肉分離工程を行なっている。
【０００６】
ここで、腱切断は、骨付き腿肉の搬送経路の近傍に骨の横断方向に向けて配置された丸刃カッタを用い、この丸刃カッタを骨付き腿肉に接近させ、骨から腱を切断するようにしている。特許文献２の図１０に図示されているように、腿肉分離工程は、一対のセパレータ（押え板）で骨部を挟持し、クランプ装置を上昇させることにより、腿肉の引き剥がしを行なうようにしている。また、大腿骨末端の位置を検出することで、腿肉引き剥がし終了時点の正確な位置決めを可能とし、引き剥がしに次いで、大腿骨頭末端の筋切断により腿肉を大腿骨頭より完全分離させるようにしている。
【先行技術文献】
【特許文献】
【０００７】
【特許文献１】特開２００１−１４９００１号公報
【特許文献２】特開２００２−１０７３２号公報
【発明の概要】
【発明が解決しようとする課題】
【０００８】
特許文献１に開示された筋入れ装置では、筋入れナイフ及びその駆動装置を含む筋入れナイフユニットを鉛直方向に上下動させて筋入れを行なっている。そのため、大きな重量の筋入れナイフユニットを移動させる必要があるため、大きな動力を必要とし、移動機構が大型化するという問題がある。従って、筋入れナイフユニットの駆動装置としてエアシリンダを用いた場合、圧縮空気の圧力を十分大きくしないと、筋入れナイフユニットを設定高さまで精度良く上昇できなくなるおそれがある。
【０００９】
また、特許文献１では、筋入れナイフを骨付き腿肉の湾曲方向内側面に沿って、足首付近から大腿骨末端まで下降させているが、このような単純な動作では、膝関節に強固に結合している腱の結合部位に筋入れナイフを到達できず、腿肉分離が円滑に行なわれない。そのため、歩留まりが向上しないという問題がある。
また、特許文献１では、筋入れ装置が脱骨装置本体と隣接して設けられており、筋入れ装置が大型化し、大きなスペースを占めているため、脱骨装置全体が大型化している。
【００１０】
特許文献２に開示された腿肉分離手段は、筋入れ工程は具体的に記述されていない。おそらくオペレータが手動で行なうものと推量される。
また、腿肉分離工程で、丸刃カッタを用いて、骨に結合している腱を切断する場合、丸刃カッタを二次元の平面上で円弧状に複雑な経路を辿って腱付着部位に到達させる必要がある。そのため、丸刃カッタを移動させる制御機構を複雑かつ高コストになるという問題がある。
【００１１】
本発明は、かかる従来技術の課題に鑑み、食鶏屠体等の骨付き腿肉の自動化された脱骨を行なうに際し、骨付き腿肉の搬送機構を簡素化し、所要動力を低減させて低コストにすることを第１の目的とする。
次に、切断刃を骨付き腿肉に接近させて骨付き腿肉を切断する際に、切断刃の移動機構を簡素化かつ低コスト化することを第２の目的とする。
また、自動化された筋入れ工程で、膝関節に結合している腱の切断を確実に行なって、肉の歩留まりを向上することを第３の目的とする。
【課題を解決するための手段】
【００１２】
かかる目的を達成するため、本発明の骨付き腿肉の脱骨方法は、
骨付き腿肉を足首を介してクランプ装置で吊下搬送しながら、複数の処理ステーション間を断続歩進させ、各処理ステーションで、切断刃を骨に沿わせて腿肉を長手方向に切断する筋入れ工程、又はミートセパレータを用いて肉部を上方から押え、切断刃で腱を切断しながら骨付き腿肉を相対的に上方に引き上げて肉部を引き剥す肉分離工程を行なう骨付き腿肉の脱骨方法において、
送り機構によって処理ステーション間を断続歩進され、下端に前記クランプ装置が装着されクランプ装置の上方に昇降ローラが装着された昇降軸と、処理ステーションに設けられ、駆動モータと、該駆動モータの出力軸に連結されたネジ軸と、該ネジ軸に螺合した昇降台とからなる上昇装置と、処理ステーション間に架設されクランプ装置の移動方向に向かって下降する走行路と、を用意し、
処理ステーションで前記昇降ローラを前記昇降台上に載置し、該昇降台を上昇させ骨付き腿肉を上昇させて前記筋入れ工程又は肉分離工程を行い、
骨付き腿肉の自重により昇降ローラを前記走行路に沿って走行させ、前記クランプ装置を下降させながら次の処理ステーションに搬送するようにしたものである。
【００１３】
本発明方法では、処理ステーションで前記上昇装置によりクランプ装置を上昇させて、筋入れ工程と肉分離工程とを行なう。また、骨付き腿肉等の自重を利用して、昇降軸に装着された昇降ローラを前記走行路に沿って走行させ、クランプ装置を下降させながら次の処理ステーションに送るようにしている。
これによって、骨付き腿肉の上昇装置及び処理ステーション間の搬送機構を簡素化でき、該駆動モータの所要動力を低減させて低コストにすることができる。なお、駆動モータとしてサーボモータ等を用いることにより、クランプ装置の高さ位置制御を精度良く行なうことができる。
【００１４】
本発明方法において、切断刃が配設された処理ステーションにおいて、前記昇降軸が軸中心に自転可能に構成され、該昇降軸を設定角度だけ自転させる自転機構を用意し、該自転機構により昇降軸を自転させ、骨付き腿肉の切断部位を切断刃に対して対面させると共に、切断刃を直線状の移動経路に沿って該切断部位に接近させ、骨付き腿肉の切断部位を切断するようにするとよい。
このように、昇降軸を自転させ、骨付き腿肉の切断部位を切断刃に対面させることにより、切断刃を該切断部位に直線状の移動経路に沿って接近させることができる。そのため、移動経路を単純化できるので、切断刃の移動機構を簡素化かつ低コスト化できる。
【００１５】
本発明方法において、肉分離工程を行なう処理ステーションにおいては、前記切断刃として水平方向に配置された丸刃からなる腱切断刃を用い、該腱切断刃を直線状の移動経路を取って骨付き腿肉の切断部位に接近させるようにする。こうして、骨に付着した腱を切断できる。
【００１６】
本発明方法において、処理ステーションが筋入れ工程を行なう処理ステーションであり、該筋入れ工程が、切断刃を骨の内側面に沿わせながら切断刃に対して骨付き腿肉を相対的に上昇させ、足首付近から膝関節上部まで筋入れを行なう下腿筋入れステップと、切断刃が膝関節に接近した時前記自転機構で昇降軸を一時的に自転させ、切断刃を骨内側面から膝関節の腱付着部に回り込ませて腱を切断した後、クランプ装置を逆回転させて切断刃を骨の内側面に戻す膝関節筋入れステップと、切断刃を骨の内側面に沿わせながら切断刃に対して骨付き腿肉を相対的に上昇させ、膝関節下部から大腿端部まで筋入れを行なう大腿筋入れステップと、からなるものであるとよい。
【００１７】
このように、骨付き腿肉が上昇して切断刃が膝関節に接近した時、クランプ装置を設定角度だけ自転させ、切断刃を骨内側面から膝関節の腱付着部に回り込ませて腱を切断するようにしているので、膝関節に強固に付着した腱を膝関節から確実に分離できる。そのため、その後に行なわれる腿肉分離工程を円滑にでき、肉の歩留まりを向上できる。
また、筋入れナイフユニットを上昇させず、クランプ装置を上昇させるようにしているので、大重量の筋入れナイフユニットの昇降装置をなくすことができる。このように、小重量のクランプ装置を上昇させるようにしているので、筋入れステーションを簡素化かつ低コスト化できると共に、骨付き腿肉を設定高さに精度良く位置決めできるようになる。
【００１８】
また、筋入れ工程において、骨付き腿肉が上昇中に骨付き腿肉の下端部を検出し、この検出高さと該検出高さで骨付き腿肉の下端部を検出した時の骨付き腿肉の上昇ストロークとから骨付き腿肉の骨の全長を求め、最終腿肉分離工程において、測定された骨付き腿肉の骨の全長に応じて、肉部を押えるミートセパレータに対するクランプ装置の上昇ストロークを決定するようにするとよい。
これによって、骨付き腿肉の大きさに固体差があっても、最終骨分離工程において、固定差に応じてクランプ装置の上昇ストロークを調整できるので、骨と腿肉の分離を確実に行なうことができる。
【００１９】
前記本発明方法の実施に直接使用可能な本発明の骨付き腿肉の脱骨装置は、
骨付き腿肉を足首を介して吊下搬送するクランプ装置と、複数の処理ステーション間に該クランプ装置を断続歩進させる送り機構とを備え、処理ステーションで、切断刃を骨に沿わせて腿肉を長手方向に切断する筋入れ工程、又はミートセパレータを用いて肉部を上方から押え、切断刃で腱を切断しながら骨付き腿肉を相対的に上方に引き上げて肉部を引き剥す肉分離工程を行なう骨付き腿肉の脱骨装置において、
下端に前記クランプ装置が装着されクランプ装置の上方に昇降ローラが装着された昇降軸と、処理ステーションに設けられ、駆動モータと、該駆動モータの出力軸に連結されたネジ軸と、該ネジ軸に螺合した昇降台とからなる上昇装置と、処理ステーション間に架設されクランプ装置の移動方向に向かって下降する走行路と、を備え、
処理ステーションで前記昇降ローラを前記昇降台上に載置し、昇降台を上昇させ骨付き腿肉を上昇させて前記筋入れ工程又は肉分離工程を行い、
骨付き腿肉の自重により昇降ローラを前記走行路に通し、前記クランプ装置を下降させながら次の処理ステーションに搬送するように構成したものである。
【００２０】
本発明装置では、処理ステーションで前記上昇機構によりクランプ装置を上昇させて、筋入れ工程と肉分離工程とを行なう。また、骨付き腿肉の自重を利用して昇降軸に装着された昇降ローラを前記走行路に沿って走行させ、上昇したクランプ装置を下降させながら次の処理ステーションに送るようにしている。
そのため、骨付き腿肉の上昇機構及び処理ステーション間の搬送機構を簡素化でき、該駆動モータの所要動力を低減させて低コストにすることができる。なお、駆動モータとしてサーボモータ等を用いることにより、クランプ装置の高さ位置制御を精度良く行なうことができる。
【００２１】
本発明装置において、切断刃が配設された処理ステーションにおいて、前記昇降軸が軸中心に自転可能に構成され、昇降軸を設定角度だけ自転させる自転機構を備え、該自転機構により昇降軸を自転させ、骨付き腿肉の切断部位を切断刃に対して対面させ、切断刃を直線状の移動経路に沿って該切断面に接近させ、切断部位を切断するように構成するとよい。このように、昇降軸を自転させ、骨付き腿肉の切断部位を切断刃に対面させることにより、切断刃を該切断部位に接近させる移動経路を直線とすることができる。そのため、移動経路を単純化できるので、切断刃の移動機構を簡素化かつ低コスト化できる。
【００２２】
本発明装置において、前記昇降軸は、前記送り機構に固設されたガイドバーと、該ガイドバーに沿って上下に摺動する摺動ブラケットと、該摺動ブラケットの内部に回動可能に配置され下端に前記クランプ装置が装着された回動軸と、からなり、前記自転機構は、該回動軸に取り付けられた揺動ローラと、処理ステーションに設けられ、クランプ装置が上昇して切断刃が膝関節に接近した時該揺動ローラを押して該回動軸を設定角度だけ自転させるカム部材と、クランプ装置がさらに上昇して該揺動ローラが該カム部材から離れた時に該揺動ローラを元の位置に復帰させるバネ部材と、からなるように構成するとよい。
【００２３】
昇降軸を前記構成とし、回転軸に取り付けられた揺動ローラを処理ステーションに設けられカム部材で押すようにしたことにより、自転機構がすべて機械部品で構成でき、専用の駆動装置や複雑な電気的制御装置を不要にできる。そのため、自転機構を低コスト化でき、また、電気的制御装置を用いない分故障が低減し、信頼性を向上できる。
【００２４】
本発明装置において、肉分離工程を行なう処理ステーションにおいては、切断刃として水平方向に配置された丸刃からなる腱切断刃を用い、該腱切断刃を直線状の移動経路を通って骨付き腿肉の切断部位に接近させるようにする。こうして、腱切断刃の移動経路を単純化できるので、腱切断刃の移動機構を簡素化かつ低コスト化できる。
【００２５】
本発明装置において、処理ステーションが筋入れ工程を行なう筋入れステーションであり、該筋入れステーションにおいて、骨付き腿肉に向かって進退可能な切断刃と、該切断刃の進退方向に対面して配置された姿勢保持板と、該姿勢保持板に対して骨付き腿肉の平坦面を押し付け固定する押え部材と、を備え、前記自転機構が前記昇降軸を上昇途中で設定角度だけ自転させるものであり、押え部材によって骨付き腿肉を姿勢保持板に押し付けた状態で切断刃を骨付き腿肉の足首付近に挿入させ、クランプ装置を上昇させて切断刃を骨の内側面に沿わせながら筋入れを行なうと共に、切断刃が膝関節に接近した時自転機構で昇降軸を一時的に自転させ、切断刃を骨内側面から膝関節の腱付着部に回り込ませて腱を切断するように構成するとよい。
【００２６】
このように、前記自転機構により、切断刃が膝関節に接近した時クランプ装置を設定角度だけ自転させ、切断刃を骨内側面から膝関節の腱付着部に回り込ませて腱を切断するようにしているので、膝関節に強固に付着した腱を確実に分離できる。そのため、その後に行なわれる腿肉分離工程を円滑にでき、肉の歩留まりを向上できる。また、前記自転機構を用いるため、切断刃が膝関節に接近した時、精度良くクランプ装置を自転させて、膝関節に付着した腱を切断できる。
【００２７】
また、筋入れナイフユニットを上昇させず、クランプ装置を上昇させて筋入れを行なうため、大きな重量の筋入れナイフユニットを昇降させる昇降装置が不要になる。そのため、筋入れステーションを簡素化かつ低コスト化できると共に、骨付き腿肉を設定位置に精度良く昇降できるようになる。
【００２８】
本発明装置において、骨付き腿肉を投入する投入ステーションに隣接配置され中心軸を中心に断続回転する回転体と、該回転体の外周に等間隔に配置され骨付き腿肉の足首が懸垂される凹部を有する複数の懸垂ブラケットと、該懸垂ブラケットに懸垂された骨付き腿肉が投入ステーションに対面する位置に来た時、該骨付き腿肉を投入ステーションのクランプ装置に押し出して該クランプ装置に載架させるプッシャーと、を備えるとよい。
【００２９】
このように、懸垂ブラケットとクランプ装置の動作を同期させることによって、懸垂ブラケットからクランプ装置への骨付き腿肉の移し替えを確実に行なうことができ、かつこの移し替えを自動化できる。また、骨付き腿肉を脱骨装置のクランプ装置に懸垂する投入ステーションの構成を簡素化できる。
なお、懸垂ブラケットに骨付き腿肉を懸垂させる手段は、オペレータが手で骨付き腿肉を懸垂させてもよく、あるいは搬送コンベアで骨付き腿肉を懸垂ブラケット付近まで搬送し、移し替え装置により自動的に骨付き腿肉を懸垂ブラケットに懸垂させるようにしてもよい。
【００３０】
本発明装置において、前記ガイドバーを支持するベース部材に装着され、軸中心に回動可能に軸支されたブレーキシューと、該ブレーキシューに対し前記回動軸を押圧する方向に弾性力を付勢するバネ部材と、処理ステーション間のブレーキシューの移動経路に設けられ、該ブレーキシューを該バネ体の弾性力に抗して回動軸から離れた位置に保持するブレーキ解除レールと、を備えるとよい。
【００３１】
これによって、回動軸が処理ステーションにある間、回動軸をブレーキシューで押圧しているので、回動軸の落下を防止できる。また、回動軸が処理ステーション間を移動する間は、ブレーキシューが回動軸から離れるので、回動軸を下降できるようになる。
【発明の効果】
【００３２】
本発明の第２形態の方法によれば、骨付き腿肉を足首を介してクランプ装置で吊下搬送しながら、複数の処理ステーション間を断続歩進させ、各処理ステーションで、切断刃を骨に沿わせて腿肉を長手方向に切断する筋入れ工程、又はミートセパレータを用いて肉部を上方から押え、切断刃で腱を切断しながら骨付き腿肉を相対的に上方に引き上げて肉部を引き剥す肉分離工程を行なう骨付き腿肉の脱骨方法において、送り機構によって処理ステーション間を断続歩進され、下端に前記クランプ装置が装着されクランプ装置の上方に昇降ローラが装着された昇降軸と、処理ステーションに設けられ、駆動モータと、該駆動モータの出力軸に連結されたネジ軸と、該ネジ軸に螺合した昇降台とからなる上昇装置と、処理ステーション間に架設されクランプ装置の移動方向に向かって下降する走行路と、を用意し、処理ステーションで前記昇降ローラを前記昇降台上に載置し、該昇降台を上昇させ骨付き腿肉を上昇させて前記筋入れ工程又は肉分離工程を行い、骨付き腿肉の自重により昇降ローラを前記走行路に沿って走行させ、前記クランプ装置を下降させながら次の処理ステーションに搬送するようにしたので、骨付き腿肉の上昇装置及び処理ステーション間の搬送機構を簡素化でき、該駆動モータの所要動力を低減させて低コストにすることができる。
【００３３】
また、本発明装置によれば、骨付き腿肉を足首を介して吊下搬送するクランプ装置と、複数の処理ステーション間に該クランプ装置を断続歩進させる送り機構とを備え、処理ステーションで、切断刃を骨に沿わせて腿肉を長手方向に切断する筋入れ工程、又はミートセパレータを用いて肉部を上方から押え、切断刃で腱を切断しながら骨付き腿肉を相対的に上方に引き上げて肉部を引き剥す肉分離工程を行なう骨付き腿肉の脱骨装置において、下端に前記クランプ装置が装着されクランプ装置の上方に昇降ローラが装着された昇降軸と、処理ステーションに設けられ、駆動モータと、該駆動モータの出力軸に連結されたネジ軸と、該ネジ軸に螺合した昇降台とからなる上昇装置と、処理ステーション間に架設されクランプ装置の移動方向に向かって下降する走行路と、を備え、処理ステーションで前記昇降ローラを前記昇降台上に載置し、昇降台を上昇させ骨付き腿肉を上昇させて前記筋入れ工程又は肉分離工程を行い、骨付き腿肉の自重により昇降ローラを前記走行路に通し、前記クランプ装置を下降させながら次の処理ステーションに搬送するように構成したので、前記本発明方法と同様の作用効果を得ることができる。
【図面の簡単な説明】
【００３４】
【図１】本発明を食鶏屠体の脱骨に適用した一実施形態に係る脱骨装置の全体構成図である。
【図２Ａ】前記実施形態の第１処理ステーション（投入ステーション）から第２処理ステーション（筋入れステーション）までの処理工程を示す工程図である。
【図２Ｂ】前記実施形態の第３〜第５処理ステーションの処理工程を示す工程図である。
【図２Ｃ】前記実施形態の第６〜第８処理ステーションの処理工程を示す工程図である。
【図２Ｄ】前記実施形態の第９〜第１０処理ステーションの処理工程を示す工程図である。
【図３】前記実施形態の脱骨装置を展開して示す正面図である。
【図４】前記脱骨装置の第２処理ステーション（筋入れステーション）周辺を示す斜視図である。
【図５】前記脱骨装置の昇降バー７０の側面図である。
【図６】図４中のＡ方向から視た正面図である。
【図７】図４中のＢ−Ｂ線に沿う断面図である。
【図８】前記脱骨装置の第２処理ステーション（筋入れステーション）の正面図である。
【図９】前記第２処理ステーション（筋入れステーション）の平面図である。
【図１０】前記第２処理ステーション（筋入れステーション）での筋入れ工程を示す工程図である。
【発明を実施するための形態】
【００３５】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００３６】
本発明方法及び装置を食鶏屠体の骨付き腿肉の脱骨処理に適用した一実施形態を図１〜図１０に基づいて説明する。まず、図１及び図２Ａ〜２Ｄにより、脱骨処理の全体工程の概略を説明する。図２Ａに示すように、食鶏屠体の骨付き腿肉（以下「ワーク」という。）ｗは、足首ｆ、下腿骨ｋ及び大腿骨ｊからなる骨部と、骨部を取り巻く肉部ｍとからなる。下腿骨ｋと上腿骨ｊとは膝関節ｈで結合されている。
【００３７】
図１及び図４に示すように、脱骨装置１０は、ワーク投入から骨部と肉部の最終分離までの各処理ステーションが円形に配置されている。ワークｗを吊下したクランプ装置１２は、昇降軸７０を構成するガイドバー７２を介して円形の送り環７８に接続されている。送り環７８は矢印ａ方向に断続回転するため、クランプ装置１２は、回転中心Ｏを中心に円軌跡を描きながら、各処理ステーション間を移動し、各処理ステーションで停止する。各処理ステーションにおけるクランプ装置１２の昇降は、サーボモータ１０４によって行なわれる。
【００３８】
図３に示すように、脱骨装置１０の上部及び下部には、円形の支持桁１１が配設され、該支持桁１１に、サーボモータ１０４や、走行路９４を構成する外板１５等を支持する支持フレーム１３が固設されている。なお、図５には、支持桁１１の図示は省略されている。
【００３９】
図１は、左足用脱骨装置を図示したものである。左足用脱骨装置は、第１から第１０までの処理ステーションが矢印ａ方向に、第１処理ステーション（投入ステーション）から順々に配置される。一方、右足用脱骨装置の場合は、各処理ステーションが矢印ｂ方向に第１処理ステーション（投入ステーション）から順々に配置される。
【００４０】
ワークｗは、第１処理ステーション（投入ステーション）に設けられた投入装置１４を介して、クランプ装置１２に載架される。投入装置１４は、垂直軸１６ａを中心に断続回転する回転体１６と、回転体１６の外周面に等間隔に配置された４個の懸垂ブラケット１８と、クランプ装置１２に対面する位置に設けられたプッシャ２０とからなる。回転体１６は、９０度ずつ回転する断続回転を行い、その動きはクランプ装置１２の断続歩進と同期している。懸垂ブラケット１８には、外側に開口しワークｗが懸垂される凹部１８ａがもうけられている。
【００４１】
凹部１８ａにワークｗを懸垂させる手段は、オペレータが手で凹部１８ａにワークｗを懸垂させるようにしてもよいし、あるいはワークｗを図示省略のコンベアで第１処理ステーション（投入ステーション）まで運び、ワークｗを図示省略の載架装置により自動的に凹部１８ａに載架するようにしてもよい。
【００４２】
ワークｗが懸垂された懸垂ブラケット１８は、断続回転してクランプ装置１２に対面する位置に達し、ここでプッシャ２０によりクランプ装置１２に向かって押し出され、クランプ装置１２に移し替えられる。
図4に示すように、クランプ装置１２は、昇降軸７０を構成する回動軸７６の下端に装着されている。クランプ装置１２は、ワークｗの足首ｆが挿入される溝１２４を有するクランプ本体１２２と、該溝１２４を開閉するチャック１２６からなる。チャック１２６は、図示省略の制御装置により自動的に動作される。
【００４３】
ワークｗがクランプ装置１２に移し替えられた後、チャック１２６が自動的に作動し、溝１２４の入口を閉鎖する。その後、クランプ装置１２は、歩進して第２処理ステーション（筋入れステーション）に達し、そこで停止する。第２処理ステーション（筋入れステーション）では、ワークｗに筋入れナイフを刺した後、骨に沿わせて長手方向に筋入れナイフを切り下げて肉部ｍを切断する筋入れ工程が行なわれる。切断と同時に、ワークｗの全長が測定される。
【００４４】
次に、クランプ装置１２が第３処理ステーション（足首カットステーション）に移動する。ここには、切断面が水平方向に配置された一対の丸刃カッタ２２が配置されている。該丸刃カッタ２２がクランプ装置１２に吊下されたワークｗに接近し、足首ｆに付着した腱を切断する。
次に、ワークｗは第４処理ステーション（内分離小骨筋カットステーション）に移動する。第４処理ステーション（内分離小骨筋カットステーション）には、固定セパレータ２６と、固定セパレータ２６に対して接近又は離隔可能な方向に移動可動セパレータ２８とからなるミートセパレータ２４が設けられている。ここで、固定セパレータ２６と可動セパレータ２８で肉部ｍを両側から押さえ、クランプ装置１２を引き上げながら、丸刃カッタ３０で小骨筋カットを行なう。
【００４５】
小骨筋とは、下腿骨ｋの側面に沿って下腿骨ｋに付着しているマッチ棒くらいの小骨の延長線上（足首側）にある筋である。第４処理ステーション（内分離小骨筋カットステーション）で肉部ｍを剥す時に小骨筋が切れていると、下腿骨ｋから小骨が剥がれてしまい、下腿骨ｋと大腿骨ｊの中間部（膝関節ｈ）で脱臼してしまう。そのため、第３処理ステーション（足首カットステーション）でわざと小骨筋を切断せずに、第４処理ステーション（内分離小骨筋カットステーション）での肉部ｍの引き剥がし後に切断するようにしている。
【００４６】
次に、ワークｗは第５処理ステーション（膝関節露出ステーション）に移動する。ここでは、固定セパレータ３４と可動セパレータ３６とからなるミートセパレータ３２で肉部ｍを押さえながら、ワークｗを引き上げて膝関節ｈを露出させる。
次に、第５処理ステーション（膝関節露出ステーション）から第６処理ステーション（膝関節位置測定・Ｘ筋カットステーション）への移動経路中で、クランプ装置１２を引き下げる。ワークｗが第６処理ステーション（膝関節位置測定・Ｘ筋カットステーション）に到達した後で、クランプ装置１２を引き上げ、この動作中、測定具３８で膝関節ｈの位置を測定すると共に、カッタ４０でＸ筋を切断する。
【００４７】
Ｘ筋とは、膝関節ｈにある筋であり、膝関節ｈと肉部ｍとを引き離すために、Ｘ筋を切断する必要がある。Ｘ筋の切断は、第６処理ステーション（膝関節位置測定・Ｘ筋カットステーション）で行なう膝関節位置の測定後、第７処理ステーション（膝関節筋カットステーション）への移動中に行なう。
【００４８】
次に、ワークｗを第７処理ステーション（膝関節筋カットステーション）に移動させ、ここで、膝関節ｈに付着した筋肉をカットする。第６処理ステーション（膝関節位置測定・Ｘ筋カットステーション）で測定した膝関節ｈの位置から、ワークｗの引き上げ量を決定し、固定セパレータ４４及び可動セパレータ４６からなるミートセパレータ４２で肉部ｍを押えながら、ワークｗを引き上げる。これによって、膝関節ｈが露出し、露出した膝関節ｈに付着した筋肉を３枚の丸刃カッタ４８でカットする。
【００４９】
第８処理ステーション（軟骨カットステーション）では、固定セパレータ５２及び可動セパレータ５４からなるミートセパレータ５０で肉部ｍを押えながら、ワークｗを引き上げる。この引き上げ量は、第６処理ステーション（膝関節位置測定・Ｘ筋カットステーション）で測定した膝関節ｈの位置から決定する。そして、３枚の丸刃カッタ５６で、膝関節ｈの直下に位置した軟骨をカットする。
【００５０】
次に、第９処理ステーション（最終引き剥がしステーション）では、肉部ｍの最終引き剥がしを行なう。ここでは、固定セパレータ６０及び可動セパレータ６２からなるミートセパレータ５８で肉部ｍを押えながらワークｗを引き上げる。これによって、大腿骨ｊから肉部ｍを引き剥がすことができる。そして、クランプ装置１２を９０度回転させた後、９０度逆回転させ、この動作中に大腿骨ｊの骨頭末端に付着した腱を丸刃カッタ６４で切断する。こうして、骨部から肉部ｍを分離し、分離された肉部ｍは、図示省略の排出路に落下して排出される。
【００５１】
第１０処理ステーション（肉部骨部最終分離ステーション）では、クランプ装置１２のチャック１２６を作動させてクランプ装置１２を開放し、肉部ｍが分離した骨部をクランプ装置１２から落下させる。骨部は、肉部ｍとは別な排出路に落下し、排出される。
【００５２】
次に、第２処理ステーション（筋入れステーション）で行なわれる筋入れ工程を、図３〜図１０により詳しく説明する。図４は、ワークｗを吊下したクランプ装置１２が第２処理ステーション（筋入れステーション）に位置した状態を示す。
【００５３】
図４〜図６に示すように、昇降軸７０は、上下方向に配置された一対のガイドバー７２と、ガイドバー７２に沿って摺動可能な摺動ブラケット７４と、摺動ブラケット７４の内側に同心状に配置された回動軸７６とから構成されている。回動軸７６の下端にクランプ装置１２が装着されている。ガイドバー７２の上端は、送り環７８に固着され、送り環７８は図示省略の駆動装置によって所定角度ずつ断続回転する。ガイドバー７２の下端は、固定具８８を介して、環状ベース部材９０（図５，６参照）に固定されている。なお、図４では、環状ベース部材９０は省略されている。
【００５４】
第１〜第１０の各処理ステーションは、回転中心Ｏに対して等角度に配置されている。そのため、クランプ装置１２は、ひとつの回転動作毎に次の処理ステーションに移動する。図４には、１個のクランプ装置１２のみ図示されているが、実際の装置では、各処理ステーションに夫々１個のクランプ装置１２が位置するように、送り環７８に複数の昇降軸７０が等間隔で固定されている。
【００５５】
回動軸７６の上端には、コイルバネ８０が巻装され、コイルバネ８０の近傍で、回動軸７６にアーム８２を介して揺動ローラ８４が取り付けられている。コイルバネ８０の一端は、摺動ブラケット７４と一体の止め金８６に係止している。これによって、回動軸７６には、軸回りにコイルバネ８０の弾性力が付勢されている。
【００５６】
揺動ローラ８４の下方で、摺動ブラケット７４に昇降ローラ９２が装着されている。また、各処理ステーション間には、昇降ローラ９２が走行するガイド溝が形成された走行路９４が設けられている。クランプ装置１２が各処理ステーション間を移動するときに、昇降ローラ９２が走行路９４を走行することによって、クランプ装置１２の上下方向位置が規制される。
【００５７】
図７において、環状ベース９０の上面には、軸受９５が設けられ、軸受９５には、基部９６及び基部９６と一体形成されたブレーキシュー９６ａがピン９８を中心に回動自在に装着されている。ブレーキシュー９６ａは、やや斜め上方に向けられ、基部９６には、ブレーキシュー９６ａを回動軸７６の外周面に押圧する方向に弾性力を付勢するコイルバネ１００が装着されている。これによって、クランプ装置１２が各処理ステーションに位置している時、回動軸７６の落下を防止している。
【００５８】
図４において、各処理ステーションで、ワークｗを上昇させる手段は、主として、サーボモータ１０４を駆動装置とする手段が用いられる。各処理ステーションにサーボモータ１０４が設けられ、サーボモータ１０４の出力軸にネジ軸１０６が連結されている。ネジ軸１０６には昇降ブロック１０８が螺合し、ネジ軸１０６の回転により、昇降ブロック１０８が上昇する。
【００５９】
各処理ステーションで、昇降ローラ９２が走行路９４を走行して、昇降ブロック１０８の上面に達すると、サーボモータ１０４が駆動して昇降ブロック１０８が上昇し、昇降ブロック１０８と共に昇降ローラ９２が上昇する。昇降ローラ９２が上昇すると、昇降ローラ９２と一体の摺動ブラケット７４及び回動軸７６が上昇して、ワークｗが上昇する。サーボモータ１０４の回転数に応じて昇降ブロック１０８の上昇量が決まる。
【００６０】
回動軸７６の上昇中は、ブレーキシュー９６ａが回動軸７６に押圧されているので、回動軸７６の落下を防止できる。基部９６の上面にはローラ１０２が設けられている。図３に示すように、走行路９４が矢印ａ方向に向かって下降方向に配置されている領域の下方には、下側の支持桁１１にガイドレール１１０が固定されている。この領域で昇降ローラ９２が走行路９４を走行する時、ローラ１０２がガイドレール１１０の下面に入り込み、ガイドレール１１０により基部９６が下方に押し下げられる。基部９６が押し下げられると、ブレーキシュー９６ａが回動軸７６から離れて、回動軸７６の下降が自由になる。これによって、昇降ローラ９２が走行路９４を下方向に走行できるようになる。
【００６１】
図３に示すように、第２処理ステーション（筋入れステーション）に限らず、クランプ装置１２の移動方向に向かって走行路９４が下降する方向に配置された領域では、走行路９４の下方でガイドレール１１０が支持桁１１に固定されている。これらのガイドレール１１０によって、昇降ローラ９２が走行路９４に入る前に、ブレーキシュー９６ａが回動軸７６から離れ、回動軸７６の下降が自由になり、クランプ装置１２の下降が可能になる。
【００６２】
次に、図８〜図１０により、第２処理ステーション（筋入れステーション）での筋入れ工程を具体的に説明する。まず、図８及び図９において、平坦面を有する姿勢保持板１１２がワークｗの搬送路を遮るように垂直方向に設けられている。クランプ装置１２によって吊下されたワークｗ（左足）は、第１処理ステーション（投入ステーション）から搬送され、姿勢保持板１１２に接して止まる。なお、図８において、ワークｗが右足の場合は、骨部の曲がりは垂直線に対して対称な方向を向く。
【００６３】
姿勢保持板１１２の右側には、基台１１４に固定されたケーシング１１６が設けられている。ケーシング１１６の内部にエアシリンダ１１８が収容され、エアシリンダ１１８のピストンロッド１１８ａに右プッシャー１３０が接続されている。また、姿勢保持板１１２の左側には、基台１３２に固定されたケーシング１３４が設けられている。ケーシング１３４の内部にエアシリンダ１３８が収容され、エアシリンダ１３８のピストンロッド１３８ａには、左プッシャー１４０が接続されている。
【００６４】
また、右プッシャー１３０の下方には、下プッシャー１４２が設けられ、下プッシャー１４２は回動軸１４４に接続されている。回動軸１４４は、図示省略のエアシリンダを駆動源として回動し、下プッシャー１４２をワークｗに対して接近又は離隔させる。
ワークｗが姿勢保持板１１２に接して停止すると、右プッシャー１３０、左プッシャー１４０及び下プッシャー１４２がワークｗに向かって接近し、ワークｗを３方向から押えて、姿勢保持板１１２に押し付け固定する。
【００６５】
また、図９に示すように、姿勢保持板１１２と対面する位置に、押え板１４６が上下方向に配置されている。押え板１４６はアーム１５０に接続され、回動軸１４８を中心に回動可能になっている。アーム１５０は駆動装置１５２によって回動軸１４８を回動する方向に駆動される。
ワークｗが姿勢保持板１１２に接して停止すると、押え板１４６がワーク側に向かって回動し、ワークｗの一方の平坦面を押圧し、ワークｗの他方の平坦面を姿勢保持板１１２に押し付け固定する。
【００６６】
また、左プッシャー１４０の下方には、アーム１５６の先端に取り付けられた測定板１５４が設けられている。第１アーム１５６は第２アーム１５８に接続され、第２アーム１５８には枝アーム１６０が一体に取り付けられている。第２アーム１５８と枝アーム１６０の接続部は、ハウジング１７２内に配置された回動軸１６２を中心に回動可能になっている。第２アーム１５８の他端は、ハウジング１７２内に収容されたエアシリンダ１６４のピストンロッド１６４ａと接続されている。測定板１５４は、エアシリンダ１６４によって、ワークｗに対し接近又は離隔可能に移動する。
【００６７】
また、クランプ装置１２の直下に位置して、ワークｗに向かって筋入れナイフ１６８が配置されている。筋入れナイフ１６８は、図示省略の駆動装置によってワークｗに向かって進退可能になっている。
【００６８】
かかる構成において、ワークｗが姿勢保持板１１２に接して停止した後、右プッシャー１３０、左プッシャー１４０及び下プッシャー１４２がワークｗに向かって接近し、ワークｗを３方向から押える。同時に、押え板１４６がワーク側に向かって回動し、ワークｗの平坦面を押圧してワークｗを姿勢保持板１１２に押し付け固定する。
その後、筋入れナイフ１６８がワークｗの足首付近に刺し込まれ、ワークｗは、クランプ装置１２によって上昇する。これによって、図８中の矢印ｃで示すように、筋入れナイフ１６８が骨の内側面に沿って下降し、骨と肉部ｍとを分離する。
【００６９】
図４に示すように、第２処理ステーション（筋入れステーション）の外板１５には、カム板１８０が設けられている。図１０に示すように、カム１７０には、曲面状のカム面１７０ａが形成されている。カム面１７０ａは、後述するように、揺動ローラ８４がカム面１７０ａに当って設定角度だけ回動するように成形されている。揺動ローラ８４、カム１７０及びコイルバネ８０等によって、自転機構１７１が構成されている。
【００７０】
筋入れナイフ１６８が膝関節ｈ付近に達した時、揺動ローラ８４がカム板１７０のカム面１７０ａに当って設定角度α（例えば３０度）だけ回動軸７６を回動させる。これによって、筋入れナイフ１６８は、図８中の矢印ｄで示す軌跡を辿る。即ち、筋入れナイフ１６８は、膝関節ｈの裏側面に沿って移動し、該裏側面に付着している腱を切断する。
【００７１】
図１０は、クランプ装置１２の上昇に伴って筋入れナイフ１６８が膝関節ｈに達する前後の状態をS01→S04に順を追って示している。図１０のS01は、揺動ローラ８４がカム面１７０ａに接した瞬間を示している。揺動ローラ８４がカム面１７０ａに接した後、回動軸７６は、最大角度αまで回転する。クランプ装置１２の上昇により、図１０のS04で、揺動ローラ８４がカム面１７０ａから外れ、回動軸７６はコイルバネ８０の弾性力で元の位置まで逆回転する。
【００７２】
筋入れナイフ１６８が膝関節ｈの下方に達した時、揺動ローラ８４がカム面１７０ａから外れるので、コイルバネ８０の弾性力により回動軸７６が元の位置まで逆回転する。これによって、筋入れナイフ１６８は、膝関節ｈの下方で骨部の内側面に戻り、そこから下降し、矢印ｅに沿ってワークｗの骨部の内側面の肉部ｍを切断する。
【００７３】
また、図８に示すように、ハウジング１７２の下部に非接触センサ１６６が設けられている。ワークｗが姿勢保持板１１２に固定された後、測定板１５４が、エアシリンダ１６４の駆動によりワークｗに接近して、ワークｗに接触する。ワークｗの上昇と共に、測定板１５４は、ワークｗに接しながら前方に移動し、測定板１５４がワークｗの下端に達した時、枝アーム１６０が非接触センサ１６６に最接近するように構成されている。
枝アーム１６０が非接触センサ１６６に最接近した時に、測定板１５４がワークｗの下端に接している時であり、この時間が非接触センサ１６６で検出され、この検出信号がワーク全長測定手段１７４に送られる。
【００７４】
一方、サーボモータ１０４の回転数をエンコーダ１７６で検出し、この検出値がワーク全長測定手段１７４に送られる。この検出値から昇降ローラ９２の高さ位置（上昇ストローク）がわかる。ワーク全長測定手段１７４で、非接触センサ１６６が枝アーム１６０を検出した時点における昇降ローラ９２の高さ位置（ワークｗの上昇ストローク）と、測定板１５４の位置とから、ワークｗの骨の全長が求められる。こうして求めたワークｗの骨の全長が上昇ストローク決定手段１７８に送られる。
【００７５】
上昇ストローク決定手段１７８では、この検出値が大、中、小の分類のいずれに属するかを判定する。そして、判定した分類に対応した上昇ストロークを決定し、第９処理ステーション（最終引き剥がしステーション）で、その上昇ストローク分だけクランプ装置１２を上昇させて、骨と肉部ｍを分離する。
【００７６】
図１及び図３に示すように、第３処理ステーション（足首カットステーション）及び第９処理ステーション（最終引き剥がしステーション）と第１０処理ステーション（肉部骨部最終分離ステーション）との間には、カム板１８０及びカム板１８２が設けられている。第２処理ステーション（筋入れステーション）で、ワークｗが上昇中に筋入れが行なわれ、その後、上昇したクランプ装置１２が第３処理ステーション（足首カットステーション）側に移動し始めた時、ローラ１０２がガイドレール１１０の下面に入り込むことによって、ブレーキシュー９６ａが回動軸７６から離れる。これでクランプ装置１２の下降が自由になり、昇降ローラ９２が走行路９４を走行し、クランプ装置１２が下降する。
【００７７】
図１に示すように、クランプ装置１２が第３処理ステーション（足首カットステーション）を走行中、揺動ローラ８４がカム板１８０に接して押され、回動軸７６から所定角度自転する。これによって、ワークｗの足首付近の腱切断部位が一対の丸刃カッタ２２に対面する。その後、丸刃カッタ２２は該腱切断部位に直線状の移動経路を辿って接近し、足首ｆに付着した腱を切断する。その後、クランプ装置１２が移動し、揺動ローラ８４はカム板１８０から離れる。揺動ローラ８４がカム板１８０から離れると、コイルバネ８０の弾性力により、自転前の状態に逆回転する。
【００７８】
第９処理ステーション（最終引き剥がしステーション）から第１０処理ステーション（肉部骨部最終分離ステーション）にクランプ装置１２が移動する間も、同様に、揺動ローラ８４をカム板１８２に接触させて、クランプ装置１２を９０°自転させる。この状態で、切断部位が丸刃カッタ６４に対面する。次に、丸刃カッタ２２を該切断部位に接近させ、大腿骨ｊの骨頭末端に付着した腱を切断する。
【００７９】
本実施形態によれば、クランプ装置１２の上昇装置を、サーボモータ１０４と、サーボモータ１０４の出力軸に連結されたネジ軸１０６と、ネジ軸１０６に螺合した昇降ブロック１０８とで構成し、クランプ装置１２の下降は、処理ステーション間に設けられた走行路９４に昇降ローラ９２を走行させるようにしているので、ワークｗの昇降機構及び搬送機構を簡素化できると共に、サーボモータ１０４の所要動力を低減させて低コスト化できる。また、駆動モータとしてサーボモータ１０４を用いたことにより、ワークｗの高さ位置制御を精度良くできる。
【００８０】
また、クランプ装置１２を所定角度自転させ、切断部位を丸刃カッタ２２又は６４に対面させることができるので、該丸刃カッタの移動経路を略直線状にできる。そのため、該丸刃カッタの移動経路を単純化できるので、移動機構を簡素化かつ低コスト化できる。
【００８１】
また、大きな重量の筋入れナイフユニットを昇降させず、骨付き腿肉を昇降させるようにしているので、筋入れナイフユニットの昇降装置をなくすことができる。そのため、筋入れステーションを簡素化かつ低コスト化できる。また、特許文献１に開示された脱骨装置のように、筋入れステーションを脱骨装置本体と別置きとすることなく、脱骨装置１０に組み込んでいるので、脱骨装置全体をコンパクトにできる。
【００８２】
また、筋入れナイフ１６８が膝関節ｈに達した時、クランプ装置１２を設定角度だけ自転させ、筋入れナイフ１６８を骨内側面から膝関節ｈの腱付着部に回り込ませて腱を切断するようにしているので、膝関節ｈに強固に付着した腱を確実に分離できる。そのため、その後行なわれる骨と腿肉の分離を円滑にでき、肉の歩留まりを向上できる。
【００８３】
また、第２処理ステーション（筋入れステーション）で、ワークｗの骨の全長を検出し、この検出値が大、中、小の分類のいずれに属するかを判定し、最終引き剥がし第９処理ステーション（最終引き剥がしステーション）でのクランプ装置１２の上昇量を決定しているので、ワーク長に固体差があっても、骨肉分離を確実に行なうことができる。また、ワーク長を大、中、小の３分類としているので、制御が簡単になり、制御装置を低コストにできる。
【００８４】
また、自転機構１７１が、揺動ローラ８４、コイルバネ８０やカム１７０等からなる機械的機構のみで構成されているので、複雑な電気的制御装置が不要になり、精度良くクランプ装置１２を自転できると共に、低コスト化できる。
また、投入装置１４を備えたことにより、脱骨装置１０のワーク投入部の構成を簡素化できると共に、ワークｗをクランプ装置１２に確実に懸垂させることができる。
【００８５】
さらに、各処理ステーションで、サーボモータ１０４によりクランプ装置１２を上昇させている間、ブレーキシュー９６ａを回動軸７６に押圧させて回動軸７６の落下を防止できる。また、クランプ装置１２が各処理ステーション間を移動している間は、ガイドレール１１０によって、ブレーキシュー９６ａによる押圧を解除するようにしているので、昇降ローラ９２が走行路９４を円滑に走行でき、クランプ装置１２の下降を円滑に行なうことができる。
【産業上の利用可能性】
【００８６】
本発明によれば、家畜屠体の骨付き腿肉を自動脱骨する装置において、骨付き腿肉の搬送機構を簡素化し、所要動力を低減させて低コスト化できると共に、切断時の切断刃の移動機構を簡素化かつ低コスト化できる。
【図１】
2013507101.tif 000003
【図２Ａ】
2013507101.tif 000004
【図２Ｂ】
2013507101.tif 000005
【図２Ｃ】
2013507101.tif 000006
【図２Ｄ】
2013507101.tif 000007
【図３】
2013507101.tif 000008
【図４】
2013507101.tif 000009
【図５】
2013507101.tif 000010
【図６】
2013507101.tif 000011
【図７】
2013507101.tif 000012
【図８】
2013507101.tif 000013
【図９】
2013507101.tif 000014
【図１０】
2013507101.tif 000015
【国際調査報告】
2013507101.tif 000016